(57)【要約】【課題】過去の読影レポートから文章構造を抽出することで読影レポートを作成するためのテンプレートを容易に作成するとともに、読影レポート作成のための入力を容易にし、更に、病院内の読影レポートの文章構造を統一させることが可能な医用画像読影システムを提供する。【解決手段】本発明に係る情報管理装置２のＣＰＵ２１によれば、読影レポートを入力するためのテンプレートの抽出対象として選択されたデータ（例えば、レポートＤＢ２５２の文字データ、過去のレポートファイルの文字データ、画像データ等）を解析して文章構造を抽出し、抽出された文章構造のうち、操作部２２により選択された文章構造をテンプレート記憶部２５４に登録する。【選択図】図２
2005148989.tif 000002
【特許請求の範囲】
【請求項１】
人体を撮影した医用画像を表示し、当該医用画像の読影レポートを作成するための医用画像読影システムにおいて、
過去に作成された読影レポートのデータを解析することにより当該読影レポートの文章構造を抽出する文章構造抽出手段と、
前記抽出された文章構造を、新たに読影レポートを作成する際のテンプレートとして登録するテンプレート登録手段と、
前記登録されたテンプレートから読影レポートの作成に使用する文章構造を選択する文章選択手段と、を備え、
前記文章選択手段を介して文章構造を選択することにより読影レポートの作成を可能としたことを特徴とする医用画像読影システム。
【請求項２】
前記抽出された文章構造の中からテンプレートとして登録する文章構造を選択する登録文章選択手段を備え、
前記テンプレート登録手段は、前記登録文章選択手段により選択された文章構造をテンプレートとして登録することを特徴とする請求項１に記載の医用画像読影システム。
【請求項３】
前記抽出された文章構造の使用頻度を算出する頻度算出手段を備え、
前記テンプレート登録手段は、前記算出された使用頻度が予め設定された使用頻度以上の文章構造をテンプレートとして登録することを特徴とする請求項１に記載の医用画像読影システム。
【請求項４】
前記登録されたテンプレートを用いて過去に作成された読影レポートのデータを解析することにより当該読影レポートに使用されている単語及びその分類を抽出する単語抽出手段と、
前記抽出された単語をその分類とともに登録する単語登録手段と、
前記登録された単語の中から新たに読影レポートを作成する際に使用する単語を選択する単語選択手段を備え、
前記文章選択手段を介して文章構造を選択し、前記単語選択手段を介して単語を選択することにより読影レポートの作成を可能としたことを特徴とする請求項１〜３の何れか一項に記載の医用画像読影システム。
【発明の詳細な説明】
【技術分野】
【０００１】
本発明は、医用画像を読影してレポートを作成するための医用画像読影システムに関する。
【背景技術】
【０００２】
近年、人体を撮影して医用画像の画像データを生成するＣＴ（Computed Tomography）、ＭＲＩ（Magnetic Resonance Imaging）、ＣＲ（Computed Radiography）、ＦＰＤ（Flat Panel Detector）、超音波診断装置等の各種画像収録モダリティ、医用画像を保存し管理する情報管理装置、医用画像をＣＲＴ（Cathode Ray Tube）等に表示する読影端末等をネットワークで接続する医用画像読影システムが利用されている。
【０００３】
この医用画像読影システムにおいて、読影医は、読影端末に医用画像を表示して読影を行い、所見（コメント）を読影レポートとして作成する。例えば、特許文献１には、医師が主訴、所見、診断等を入力するためのカルテ・テンプレートを予め定義してカルテ・テンプレート定義格納部に格納しておき、このテンプレートの選択により情報を入力する装置が記載されている。
【特許文献１】特開２００２−２０３０４４号公報
【発明の開示】
【発明が解決しようとする課題】
【０００４】
しかしながら、従来、読影レポート作成のための単語や文節を予めテンプレートとして定義しておき、これらを選択入力して読影レポートを作成していたため、入力に時間がかかる、病院内の各医師の文章の統一を図ることができない等の問題が生じることがあった。また、テンプレートとするデータを収集することは大変な作業であった。
【０００５】
本発明の課題は、過去の読影レポートから文章構造を抽出することで読影レポートを作成するためのテンプレートを容易に作成するとともに、読影レポート作成のための入力を容易にし、更に、病院内の読影レポートの文章構造を統一させることが可能な医用画像読影システムを提供することである。
【課題を解決するための手段】
【０００６】
上記課題を解決するため、請求項１に記載の発明は、
人体を撮影した医用画像を表示し、当該医用画像の読影レポートを作成するための医用画像読影システムにおいて、
過去に作成された読影レポートのデータを解析することにより当該読影レポートの文章構造を抽出する文章構造抽出手段と、
前記抽出された文章構造を、新たに読影レポートを作成する際のテンプレートとして登録するテンプレート登録手段と、
前記登録されたテンプレートから読影レポートの作成に使用する文章構造を選択する文章選択手段と、を備え、
前記文章選択手段を介して文章構造を選択することにより読影レポートの作成を可能としたことを特徴としている。
【０００７】
請求項２に記載の発明は、請求項１に記載の発明において、
前記抽出された文章構造の中からテンプレートとして登録する文章構造を選択する登録文章選択手段を備え、
前記テンプレート登録手段は、前記登録文章選択手段により選択された文章構造をテンプレートとして登録することを特徴としている。
【０００８】
請求項３に記載の発明は、請求項１に記載の発明において、
前記抽出された文章構造の使用頻度を算出する頻度算出手段を備え、
前記テンプレート登録手段は、前記算出された使用頻度が予め設定された使用頻度以上の文章構造をテンプレートとして登録することを特徴としている。
【０００９】
請求項４に記載の発明は、請求項１〜３の何れか一項に記載の発明において、
前記登録されたテンプレートを用いて過去に作成された読影レポートのデータを解析することにより当該読影レポートに使用されている単語及びその分類を抽出する単語抽出手段と、
前記抽出された単語をその分類とともに登録する単語登録手段と、
前記登録された単語の中から新たに読影レポートを作成する際に使用する単語を選択する単語選択手段を備え、
前記文章選択手段を介して文章構造を選択し、前記単語選択手段を介して単語を選択することにより読影レポートの作成を可能としたことを特徴としている。
【発明の効果】
【００１０】
請求項１に記載の発明によれば、人体を撮影した医用画像を表示し、当該医用画像の読影レポートを作成するための医用画像読影システムにおいて、過去に作成された読影レポートのデータを解析することにより当該読影レポートの文章構造を抽出し、抽出された文章構造を、新たに読影レポートを作成する際のテンプレートとして登録し、登録されたテンプレートから読影レポートの作成に使用する文章構造を選択することにより読影レポートを作成する。従って、過去に作成された読影レポートで使用された文章構造を容易にテンプレートとして登録することができるので、テンプレートの内容を考案する必要がなくなる。また、テンプレートを選択するだけでレポートの文章が作成可能となるので、文章の作成に不慣れな読影医であっても適切なレポートを作成することができる。更に、病院内の読影レポートの文章構造を統一することができる。
【００１１】
請求項２に記載の発明によれば、抽出された文章構造の中からテンプレートとして登録する文章構造を選択する登録文章選択手段を備え、登録文章選択手段により選択された文章構造をテンプレートとして登録するので、過去の読影レポートから抽出された文章構造のうちユーザが所望の文章構造をテンプレートとして登録することができる。
【００１２】
請求項３に記載の発明によれば、抽出された文章構造の使用頻度を算出し、算出された使用頻度が予め設定された使用頻度以上の文章構造をテンプレートとして登録するので、繰り返し使用される重要な文章構造をテンプレートとして登録することができる。
【００１３】
請求項４に記載の発明によれば、更に、登録されたテンプレートを用いて過去に作成された読影レポートのデータを解析することにより当該読影レポートに使用されている単語及びその分類を抽出し、抽出された単語をその分類とともに登録し、登録された単語の中から、新たに読影レポートを作成する際に使用する単語を選択することができる。従って、過去に作成された読影レポートで使用された単語を容易に読影レポートに使用する単語候補として登録することが可能となり、読影レポートの作成に使用する単語候補の洗い出しを行う必要がなくなる。
【発明を実施するための最良の形態】
【００１４】
以下、図を参照して本発明の実施の形態を詳細に説明する。ただし、発明の範囲は、図示例に限定されない。
【００１５】
まず、本実施の形態の構成を説明する。
図１は、本実施の形態における医用画像読影システム１００のシステム構成を示す概念図である。図１に示すように、医用画像読影システム１００には、画像収録モダリティ１、情報管理装置２、読影端末３等がネットワークＮを介して、データが送受信可能なように接続されている。画像収録モダリティ１、読影端末３の台数は、特に限定されない。
【００１６】
ネットワークＮは、ＬＡＮ（Local Area Network）やＷＡＮ（Wide Area Network）、インターネット等の様々な回線形態を適用可能である。なお、病院等の医療機関内で許可されるのであれば、無線通信や赤外線通信であってもよいが、重要な患者情報を含むため、送受信される情報は暗号化することが好ましい。
【００１７】
画像収録モダリティ１は、ＣＴ、ＭＲＩ、ＣＲ、ＦＰＤ、超音波診断装置等、人体を撮影した医用画像をデジタルデータとして収録するための装置である。これは、例えば撮影により取得したアナログの画像信号をデジタル変換してそのまま収録するものであってもよいし、撮影時に一旦フィルムなどに記録された医用画像を読み取ってデジタルデータを取得するものであってもよい。本実施の形態では、画像収録モダリティ１は情報管理装置２に対して、収録した画像データの保存を要求し、情報管理装置２に保存する。情報管理装置２に送信される画像データには、画像付帯情報（以下、付帯情報と称する）が付帯されるものとする。
【００１８】
付帯情報としては、例えば、撮影された患者の患者氏名、患者ＩＤ、年齢、性別等の患者に関する患者情報、検査日、検査ＩＤ、部位情報、撮影条件（体位、撮影方向等）、画像収録モダリティ情報等の検査情報、医用画像の画素数、ビット数、指定出力サイズ、読取画素サイズ、最大濃度等の画像データ情報等が挙げられる。
【００１９】
情報管理装置２は、画像収録モダリティ１により収録された医用画像の画像データをその付帯情報と対応付けて画像ＤＢ（Date Base）２３２に保存し、管理し、読影端末３からの要求に応じて画像データを読影端末３に供給する。また、情報管理装置２は、読影レポート（以下、レポートと称する）を入力するためのテンプレートを作成して記憶し、読影端末３からの要求に応じてテンプレートを供給する。
【００２０】
ここで、図２を参照して、情報管理装置２の内部構成について説明する。
図２は、情報管理装置２の機能的構成を示すブロック図である。図２に示すように、情報管理装置２は、ＣＰＵ２１、操作部２２、表示部２３、ＲＡＭ２４、記憶部２５、通信制御部２６等を備えて構成され、各部はバス２７により接続されている。
【００２１】
ＣＰＵ２１は、記憶部２５に記憶されているシステムプログラムを読み出し、ＲＡＭ２４内に形成されたワークエリアに展開し、該システムプログラムに従って各部を制御する。また、ＣＰＵ２１は、記憶部２５に記憶されている各種処理プログラム、各種アプリケーションプログラムを読み出してワークエリアに展開し、後述するテンプレート作成処理、単語辞書追加処理を始めとする各種処理を実行する。
【００２２】
操作部２２は、カーソルキー、数字入力キー、及び各種機能キー等を備えたキーボードと、マウス等のポインティングデバイスを備えて構成され、キーボードに対するキー操作やマウス操作により入力された指示信号をＣＰＵ２１に出力する。また、操作部２２は、表示部２３の表示画面にタッチパネルを備えても良く、この場合、タッチパネルを介して入力された指示信号をＣＰＵ２１に出力する。
【００２３】
表示部２３は、ＬＣＤ（Liquid Crystal Display）やＣＲＴ等のモニタにより構成され、ＣＰＵ２１から入力される表示信号の指示に従って、操作部２２からの入力指示やデータ等を表示する。
【００２４】
ＲＡＭ２４は、ＣＰＵ２１により実行制御される各種処理において、記憶部２５から読み出されたＣＰＵ２１で実行可能な各種プログラム、入力若しくは出力データ、及びパラメータ等の一時的に記憶する記憶領域を形成する。
【００２５】
記憶部２５は、ＨＤＤ（Hard Disc Drive）や不揮発性の半導体メモリ等により構成され、ＣＰＵ２１で実行されるシステムプログラム、当該システムプログラムに対応する各種処理プログラム、各種アプリケーションプログラム、過去に作成されたレポートのファイル（文字データ、画像データ）を始めとする各種データ等を記憶する。これらの各種プログラムは、読取可能なプログラムコードの形態で格納され、ＣＰＵ２１は、当該プログラムコードに従った動作を逐次実行する。
【００２６】
また、記憶部２５は、図２に示すように、画像ＤＢ２５１、レポートＤＢ２５２、単語辞書２５３、テンプレート記憶部２５４、類似語辞書２５５、診断情報記憶部２５６を有している。
【００２７】
画像ＤＢ２５１は、画像収録モダリティ１から受信された画像データを、その付帯情報と対応付けて記憶する。付帯情報は、例えば、各画像データのヘッダに記憶されている。
【００２８】
レポートＤＢ２５２は、読影端末３から送信されたレポートを格納するデータベースである。レポートＤＢ２５２は、例えば、図３に示すように、レポートを一意的に識別するための識別コードであるレポートＩＤ（例えば、0001、0002、0003、・・・）と、レポート作成に使用した画像データを識別するための検査ＩＤ（例えば、20031031001、20031031002、20031101001、・・・）と、レポート作成日時データ（例えば、03／10／31  10：00、03/10/31  10：05、03/11/01  12：30、・・・）と、レポートを作成した読影医を識別するための識別コードである読影医ＩＤ（例えば、1001、1002、1003、・・・）と、作成されたレポート内容を示す文字データ（例えば、椎弓に骨折がみられる・・・、左肺門部に突出像がみられる・・・、下行結腸下部に２ｃｍ大の隆起性病変がみられる・・・、・・・）と、を対応付けて格納する。レポートＤＢ２５２の各レコードは、検査ＩＤにより画像ＤＢの画像データと対応付けられている。
【００２９】
単語辞書２５３は、単語を分類しグループ化して記憶するものであり、図４に示すように、単語を識別するための識別コードである単語ＩＤ（例えば、00001、00002、00003・・・）と、単語の属するグループを識別するための識別コードであるグループＩＤ（例えば、１、２、３、・・・）と、グループ名を示すデータ（例えば、部位Ｇ（グループ）、症状Ｇ、サイズＧ、・・・）と、単語の内容を示す文字データ（例えば、椎弓、骨折、２ｃｍ、・・・）と、を対応付けて記憶する。
【００３０】
テンプレート記憶部２５４は、後述するテンプレート作成処理により作成されたテンプレートを記憶する。類似語辞書２５５は、類似語（例えば、「〜である」と「〜です」）を対応付けて記憶する。診断情報記憶部２５６は、読影端末３から送信された診断情報を検査ＩＤと対応付けて記憶する。
【００３１】
通信制御部２６は、ＬＡＮアダプタやルータやＴＡ（Terminal Adapter）等を備え、ネットワークＮに接続された各装置との間の通信を制御する。
【００３２】
読影端末３は、医用画像を表示し、医用画像の読影レポートを作成することを目的として設置されるＰＣ（Personal Computer）等の端末である。ここで、図５を参照して、読影端末３の内部構成について説明する。
図５は、読影端末３の機能的構成を示すブロック図である。図５に示すように、読影端末３は、ＣＰＵ３１、操作部３２、表示部３３、ＲＡＭ３４、記憶部３５、通信制御部３６等を備えて構成され、各部はバス３７により接続されている。
【００３３】
ＣＰＵ３１は、記憶部３５に記憶されているシステムプログラムを読み出し、ＲＡＭ３４内に形成されたワークエリアに展開し、該システムプログラムに従って各部を制御する。また、ＣＰＵ３１は、記憶部３５に記憶されている各種処理プログラム、各種アプリケーションプログラムを読み出してワークエリアに展開し、後述する読影処理を始めとする各種処理を実行する。
【００３４】
操作部３２は、カーソルキー、数字入力キー、及び各種機能キー等を備えたキーボードと、マウス等のポインティングデバイスを備えて構成され、キーボードに対するキー操作やマウス操作により入力された指示信号をＣＰＵ３１に出力する。また、操作部３２は、表示部３３の表示画面にタッチパネルを備えても良く、この場合、タッチパネルを介して入力された指示信号をＣＰＵ３１に出力する。
【００３５】
表示部３３は、ＬＣＤやＣＲＴ等のモニタにより構成され、ＣＰＵ３１から入力される表示信号の指示に従って、操作部３２からの入力指示やデータ等を表示する。
【００３６】
ＲＡＭ３４は、ＣＰＵ３１により実行制御される各種処理において、記憶部３５から読み出されたＣＰＵ３１で実行可能な各種プログラム、入力若しくは出力データ、及びパラメータ等の一時的に記憶する記憶領域を形成する。
【００３７】
記憶部３５は、ＨＤＤや不揮発性の半導体メモリ等により構成され、ＣＰＵ３１で実行されるシステムプログラム、当該システムプログラムに対応する各種処理プログラム、各種アプリケーションプログラム、各種データ等を記憶する。これらの各種プログラムは、読取可能なプログラムコードの形態で格納され、ＣＰＵ３１は、当該プログラムコードに従った動作を逐次実行する。
【００３８】
通信制御部３６は、ＬＡＮアダプタやルータやＴＡ等を備え、ネットワークＮに接続された各装置との間での通信の制御を行う。
【００３９】
次に、本実施の形態の動作について説明する。
図６は、情報管理装置２のＣＰＵ２１により実行されるテンプレート作成処理を示すフローチャートである。以下、図６を参照してテンプレート作成処理について説明する。
【００４０】
まず、表示部２３に、テンプレートの抽出対象となるデータ範囲を指定するための抽出対象指定画面が表示され、操作部２２により抽出対象となるデータ範囲が指定されると（ステップＳ１）、抽出対象のデータが解析され、文章構造が抽出される（ステップＳ２）。
【００４１】
ここで、ステップＳ１においては、過去に作成されたレポートのデータの中から、抽出対象となるデータ範囲が指定される。テンプレートの抽出対象となるデータとしては、例えば、レポートＤＢ２５２に格納されているレポート内容を示す文字データ、記憶部２５に記憶されている過去のレポートファイル（文字データ、画像データ）等が挙げられる。抽出対象指定画面からは、例えば、レポートＤＢ２５２のレポートＩＤの範囲、レポート作成日時の範囲、読影医ＩＤ等を入力することにより、抽出対象を指定することができる。また、抽出対象指定画面上で操作部２２から所定操作を行うことにより、抽出可能なファイル一覧を表示し、このファイル一覧から抽出対象を選択することにより、抽出対象を指定することができる。
【００４２】
文章構造の抽出は、例えば、抽出対象の文字データを一文ずつに区切り、単語辞書２５３を用いて各文に含まれる単語の単語グループを特定し、単語グループをどのように組み合わせて文章化しているかを解析することにより、文章構造を抽出する。
【００４３】
例えば、
「右肺野上部に直径３ｍｍの陰影がみえる」
という文字データを解析した場合、単語辞書２５３を参照し、部位Ｇ（グループ）に「右肺野」が、場所Ｇに「上部」が、サイズＧに「直径３ｍｍ」が存在していたとすると、
「＜部位Ｇ＞＜場所Ｇ＞に＜サイズＧ＞の陰影がみえる」
という文章構造が抽出される。抽出対象のデータが画像データである場合は、ＯＣＲ（Optical Character Reader）機能により画像データ中の文字データを認識し、認識された文字データに対して上述した文章構造の抽出が行われる。
【００４４】
ステップＳ１で指定された全抽出対象範囲の解析が終了するまで、ステップＳ２〜Ｓ３が繰り返し実行され、全抽出対象範囲の解析が終了すると（ステップＳ３；ＹＥＳ）、抽出された文章構造の使用頻度が算出され（ステップＳ４）、表示部２３に、抽出された文章構造及びその使用頻度が一覧表示される（ステップＳ５）。使用頻度とは、複数の抽出対象レポートのデータを解析した場合に、同一の文章構造が出現する割合を示す。このとき、類似語辞書２５５が参照され、相違している部分が類似語のみである文章構造については、同一の文章構造とみなされる。また、文章構造の一覧表示画面からキーとなる単語や単語グループを入力して指示することにより、一覧表示された文章構造の検索、並び替え等を行うことができる。一覧表示された文章構造から操作部２２により登録される文章構造が選択されると（ステップＳ６）、テンプレート記憶部２５４が検索されて重複チェックが行われ（ステップＳ７）、未登録の文章構造にテンプレートＩＤが付与され、テンプレートとしてテンプレート記憶部２５４に登録（記憶）される（ステップＳ８）。
【００４５】
以上説明したように、情報管理装置２のＣＰＵ２１によれば、テンプレートの抽出対象として選択されたデータ（例えば、レポートＤＢ２５２の文字データ、過去のレポートファイルの文字データ、画像データ等）を解析して文章構造を抽出し、抽出された文章構造のうち、選択された文章構造をテンプレート記憶部２５４に登録するので、過去に作成された読影レポートで使用された文章構造を容易にテンプレートとして登録することができ、テンプレートの内容を考案する手間を省くことができる。また、テンプレートを選択するだけでレポートの文章が作成可能となるので、文章の作成に不慣れな読影医であっても適切なレポートを作成することができる。更に、病院内のレポート表現を統一することができる。
【００４６】
次に、図７を参照して、ＣＰＵ２１により実行される単語辞書追加処理について説明する。この単語辞書追加処理は、上述したテンプレート作成処理で作成されたテンプレートに基づいて、抽出対象データから単語辞書２５３に登録されていない単語及び単語グループを特定し、単語辞書２５３に追加登録するものである。
【００４７】
まず、表示部２３に、単語の抽出対象となるデータ範囲を指定するための抽出対象指定画面が表示され、操作部２２により抽出対象となるデータ範囲が指定されると（ステップＳ１１）、抽出対象のデータが解析され、単語が抽出され、その単語グループが特定される（ステップＳ１２）。
【００４８】
ここで、ステップＳ１１においては、過去に作成されたレポートのデータの中から、単語の抽出対象となるデータ範囲が指定される。単語の抽出対象となるデータとしては、例えば、レポートＤＢ２５２に格納されているレポート内容を示す文字データ、記憶部２５に記憶されている過去のレポートファイル（文字データ、画像データ）等が挙げられる。抽出対象指定画面からは、例えば、レポートＤＢ２５２のレポートＩＤの範囲、レポート作成日時の範囲、読影医ＩＤ等を入力することにより、抽出対象を指定することができる。また、抽出対象指定画面上で操作部２２から所定操作を行うことにより、抽出可能なファイル一覧を表示し、このファイル一覧から抽出対象を選択することにより、抽出対象を指定することができる。
【００４９】
単語の抽出は、例えば、抽出対象の文字データを一文ずつに区切り、テンプレート記憶部２５４に記憶されているテンプレートを参照して各文を解析することにより単語を抽出し、抽出された単語の単語グループを特定する。
【００５０】
例えば、
「＜部位Ｇ＞＜場所Ｇ＞に＜サイズＧ＞の陰影がみえる」
というテンプレートと文章構造が一致する
「右肺野上部に直径３ｍｍの陰影がみえる」
という文字データを解析した場合、単語として
「右肺野」「上部」「直径３ｍｍ」
が抽出され、各単語の単語グループとして
「部位Ｇ」「場所Ｇ」「サイズＧ」
が特定される。抽出対象のデータが画像データである場合は、ＯＣＲ機能により画像データ中の文字データを認識し、認識された文字データに対して上述した単語抽出を行う。
【００５１】
ステップＳ１１で指定された全抽出対象範囲の解析が終了するまで、ステップＳ１２〜Ｓ１３が繰り返し実行され、全抽出対象範囲の解析が終了すると（ステップＳ１３；ＹＥＳ）、抽出された単語の使用頻度が算出され（ステップＳ１４）、表示部２３に、抽出された単語、その単語グループ及びその使用頻度が一覧表示される（ステップＳ１５）。使用頻度とは、複数の抽出対象レポートのデータを解析した場合に、同一の単語が出現する割合を示す。このとき、単語の一覧表示画面から一覧表示された単語の検索、並び替え等を行うことができる。操作部２２により、一覧表示された単語から登録される単語が選択されると（ステップＳ１６）、単語辞書２５３が検索されて重複チェックが行われ（ステップＳ１７）、未登録の単語に単語ＩＤが付与され、特定された単語グループのＩＤ、グループ名とともに選択された単語が単語辞書２５３に追加登録される（ステップＳ１８）。
【００５２】
以上説明したように、情報管理装置２のＣＰＵ２１によれば、単語の抽出対象として選択されたデータ（例えば、レポートＤＢ２５２の文字データ、過去のレポートファイルの文字データ、画像データ等）を解析して単語を抽出し、抽出された単語のうち、選択された単語を単語辞書２５３に追加登録するので、過去に作成されたレポートで使用された単語を容易に単語辞書に登録することができ、テンプレートで使用する単語の洗い出しを行う必要がなくなる。
【００５３】
上述したテンプレート作成処理で作成されたテンプレートは、下記の読影処理において利用することができる。読影処理は、ＣＰＵ３１と記憶部３５に記憶されているプログラムの協働によるソフトウエア処理により実行される。
読影端末３において、情報管理装置２の画像ＤＢ２５１に格納されている画像データの配信要求が行われ、情報管理装置２から画像データが受信されると、表示部３３に読影画面３３１が表示され、その画像表示領域に配信された画像データが表示される。図８に、読影画面３３１の一例を示す。図８に示すように、読影画面３３１は、画像表示領域３３１ａと、レポート領域３３１ｂと、診断領域３３１ｃが表示されている。また、読影画面３３１下部には、「レポート作成」ボタン３３１ｄ、「確定」ボタン３３１ｅ等が表示されている。医師による読影の際、「レポート作成」ボタン３３１ｄが操作されると、情報管理装置２にテンプレート記憶部２５４に記憶されているデータが要求され、情報管理装置２からテンプレート記憶部２５４のデータが受信されると、文章構造が一覧表示されたテンプレートの選択画面がポップアップ表示される。操作部３２により、このテンプレートの選択画面からレポートの作成に使用する文章構造が選択されると、この文章構造がレポートとして入力され、レポート領域３３１ｂに選択された文章構造が表示される。図８（ｂ）に、テンプレートの選択によりレポート領域３３１ｂに文章構造が入力され、表示された例を示す。この文章構造の単語グループ（部位Ｇ、場所Ｇ、サイズＧ）上がマウス等で操作されると、情報管理装置２に単語辞書２５３の該当する単語グループのデータが要求され、情報管理装置２からデータが受信されると、操作された単語グループの単語選択画面がポップアップ表示される。操作部２２により、この単語選択画面からレポートの作成に使用する単語が選択されると、表示されている文章上の単語グループ名の位置に選択された単語が入力され、表示される。図８（ｃ）に、文章構造上の単語が選択されることにより作成されたレポートを示す。このように、読影画面３３１からは、文章の選択及び単語の選択という容易な操作でレポートを作成することができる。レポート作成後、診断領域３３１ｃに、キーボード等により医師の画像診断結果が入力され、確定ボタンが操作されると、作成されたレポートのデータ及び診断情報が情報管理装置２に送信される。情報管理装置２においては、レポートのデータがレポートＤＢ２５２に、診断情報が診断情報記憶部２５６に記憶される。
【００５４】
このように、文章構造、単語を選択することでレポートの作成が可能となるので、レポート作成のための入力作業が容易になり、文章の作成に不慣れな読影医であっても適切なレポートを作成することができるとともに、定型化された文章構造を用いることで、病院内のレポートの表現を統一することができる。
【００５５】
なお、上述した本実施の形態における記述は、本発明に係る医用画像読影システム１００の一例であり、これに限定されるものではない。
例えば、上記実施の形態においては、抽出された文章構造、単語の中から登録する文章構造、単語を操作部２２により選択することとしたが、算出された使用頻度が予め設定された使用頻度以上の文章構造、単語を登録することとしてもよい。これにより、登録時の選択操作が不要となり、更に容易にテンプレート、単語の登録を行うことが可能となる。
【００５６】
また、レポート作成時のテンプレート、単語の選択は、マウス操作に限らず、キー操作や音声入力等により行うようにしてもよい。
【００５７】
また、上記実施の形態においては、情報管理装置２においてテンプレートの作成、単語辞書の追加等を行い、読影端末３において、これらのデータを利用してレポートを作成することとしたが、院内ネットワークが構築されていない場合等においては、情報管理装置２において表示部２３に医用画像を表示してレポートを作成する構成とすれば、スタンドアローンの装置で本発明を実現することが可能である。
【００５８】
また、上述したテンプレート作成処理を行う際に、読影医ＩＤを入力させるようにし、作成されたテンプレートを読影医ＩＤに対応付けて記憶し、読影端末３において読影医ＩＤが入力されると、この読影医ＩＤに応じたテンプレートを呼び出すようにすれば、各読影医に適した、より使いやすいテンプレートを提供することができる。
【００５９】
その他、本実施の形態における医用画像読影システム１００の構成部分の細部構成、及び細部動作に関しても、本発明の趣旨を逸脱することのない範囲で適宜変更可能である。
【図面の簡単な説明】
【００６０】
【図１】本発明に係る医用画像読影システム１００の全体構成を示す図である。
【図２】図１の情報管理装置２の機能的構成を示すブロック図である。
【図３】図２の記憶部２５に記憶されるレポートＤＢ２５２のデータ格納例を示す図である。
【図４】図２の記憶部２５に記憶される単語辞書２５３のデータ格納例を示す図である。
【図５】図１の読影端末３の機能的構成を示すブロック図である。
【図６】図２のＣＰＵ２１により実行されるテンプレート作成処理を示すフローチャートである。
【図７】図２のＣＰＵ２１により実行される単語辞書追加処理を示すフローチャートである。
【図８】図５の表示部３３に表示される読影画面３３１の一例を示す図である。
【符号の説明】
【００６１】
１００  医用画像読影システム
１  画像収録モダリティ
２  情報管理装置
３  読影端末
２１  ＣＰＵ
２２  操作部
２３  表示部
２４  ＲＡＭ
２５  記憶部
２５１  画像ＤＢ
２５２  レポートＤＢ
２５３  単語辞書
２５４  テンプレート記憶部
２５５  類似語辞書
２５６  診断情報記憶部
２６  通信制御部
２７  バス
３１  ＣＰＵ
３２  操作部
３３  表示部
３４  ＲＡＭ
３５  記憶部
３６  通信制御部
３７  バス
【図１】
2005148989.tif 000003
【図２】
2005148989.tif 000004
【図３】
2005148989.tif 000005
【図４】
2005148989.tif 000006
【図５】
2005148989.tif 000007
【図６】
2005148989.tif 000008
【図７】
2005148989.tif 000009
【図８】
2005148989.tif 000010